(57)【要約】【課題】温度の低い燃焼排ガスを十分に吸引し得るとともに別途ドラフトファンなどの空気吸引用機器を必要としない廃棄物の焼却炉を提供する。【解決手段】下部にストーカ式の廃棄物の燃焼室３が設けられるとともに上部に二次燃焼空間６が設けられ且つ燃焼室３に、乾燥段２ａ、燃焼段２ｂおよび後燃焼段２ｃが設けられてなる炉本体１の乾燥段２ａおよび後燃焼段２ｃ側における側壁部１ａ，１ｃの上壁部１ｄに燃焼排ガスの吸引口１１を形成し、二次燃焼空間６に二次空気を供給する二次空気供給配管９の途中に設けられたエジェクタ１２と吸引口１１とを排ガス吸引管１３により接続したものである。【選択図】      図１
2005121261.tif 000002
【特許請求の範囲】
【請求項１】
下部にストーカ式の廃棄物の燃焼室が設けられるとともに上部に二次燃焼空間が設けられ且つ上記燃焼室に、乾燥段、燃焼段および後燃焼段が設けられた炉本体の少なくとも後燃焼段側における側壁部または当該側壁部近傍の上壁部に燃焼排ガスの吸引口を形成し、上記二次燃焼空間に二次空気を供給する二次空気供給配管の途中に設けられたエジェクタと上記吸引口とを排ガス吸引管により接続したことを特徴とする廃棄物の焼却炉。
【請求項２】
乾燥段側における側壁部または当該側壁部近傍の上壁部に燃焼排ガスの吸引口を形成するとともに、二次空気供給配管の中に設けられたエジェクタと上記吸引口とを排ガス吸引管により接続したことを特徴とする請求項１に記載の廃棄物の焼却炉。
【請求項３】
少なくとも、吸引口から吸引された燃焼排ガスを二次燃焼空間に導く配管を、保温構造または断熱構造としたことを特徴とする請求項１または２に記載の廃棄物の焼却炉。
【発明の詳細な説明】
【技術分野】
【０００１】
本発明は、廃棄物の焼却炉に関するものである。
【背景技術】
【０００２】
一般に、ごみ等の廃棄物を焼却するための焼却炉としては、ストーカ式のものが用いられている。
この焼却炉における炉本体内には、前壁部から後壁部に向って、順次、乾燥段、燃焼段および後燃焼段が設けられて、廃棄物の燃焼が行われていた。
【０００３】
ところで、このような焼却炉において、廃棄物を燃焼させた際、未燃分等を含む燃焼排ガスが発生し、特に、壁面近傍では、燃焼排ガスの温度が低下して不完全燃焼の排ガスとなり、この燃焼排ガスがそのまま排出されると、燃焼排ガス中に含まれている有機系塩素化合物により、ダイオキシン類が発生してしまう。
【０００４】
そこで、このような事態を避けるために、燃焼室内で発生した未燃分を含む不完全燃焼の排ガスを二次燃焼空間に導いて完全燃焼させることにより、ダイオキシン類の発生を防止することが考えられる（例えば、特許文献１参照）。
【０００５】
この特許文献１（図１）には、炉の燃焼室内の燃焼格子部分および完全燃焼部分近傍の上壁部から、ドラフトファンが設けられた空気ダクトを介して、燃焼排ガス（燃焼生成物）を燃焼室上方の二次燃焼空間に供給するようにして、ＮＯＸの発生の低減化および未燃分の完全燃焼の促進を図るようにした構成が開示されている。
【特許文献１】特公平７−６２５２４号公報（図１参照）
【発明の開示】
【発明が解決しようとする課題】
【０００６】
しかし、上述した特許文献１には、炉の燃焼室のほぼ中央の上壁部から、ドラフトファンが設けられた吸引配管を介して、燃焼排ガスを吸引して二次燃焼空間に導くようにした構成が開示されている。
【０００７】
しかし、ダイオキシン類の発生の要因となる温度の低い燃焼排ガスは、炉の壁面付近で発生しており、したがって燃焼室の中央付近からの吸引では、ダイオキシン類の発生を十分に抑制することができないという問題があり、またドラフトファンを別途設ける必要があるとともに、吸引された燃焼排ガス中には粉塵等が混入しているため、ドラフトファンの寿命が短かくなるという問題があった。
【０００８】
そこで、本発明は、温度の低い燃焼排ガスを十分に吸引し得るとともに別途ドラフトファンなどの空気吸引用機器を必要としない廃棄物の焼却炉を提供することを目的とする。
【課題を解決するための手段】
【０００９】
上記課題を解決するために、本発明の請求項１に係る廃棄物の焼却炉は、下部にストーカ式の廃棄物の燃焼室が設けられるとともに上部に二次燃焼空間が設けられ且つ上記燃焼室に、乾燥段、燃焼段および後燃焼段が設けられた炉本体の少なくとも後燃焼段側における側壁部または当該側壁部近傍の上壁部に燃焼排ガスの吸引口を形成し、上記二次燃焼空間に二次空気を供給する二次空気供給配管の途中に設けられたエジェクタと上記吸引口とを排ガス吸引管により接続したものである。
【００１０】
また、請求項２に係る廃棄物の焼却炉は、請求項１に記載の焼却炉の乾燥段側における側壁部または当該側壁部近傍の上壁部に燃焼排ガスの吸引口を形成するとともに、二次空気供給配管の中に設けられたエジェクタと上記吸引口とを排ガス吸引管により接続したものである。
【００１１】
さらに、請求項３に係る廃棄物の焼却炉は、請求項１または２に記載の焼却炉における少なくとも、吸引口から吸引された燃焼排ガスを二次燃焼空間に導く配管を、保温構造または断熱構造としたものである。
【発明の効果】
【００１２】
上記の各構成によると、乾燥段および後燃焼段の箇所、すなわち壁面寄りの温度の低い燃焼排ガスを吸引するとともに、この吸引した燃焼排ガスを二次燃焼空間に吹き込むようにしているので、例えば燃焼室の上方の燃焼排ガスを吸引して完全燃焼させる場合よりも、ダイオキシン類の発生をより確実に抑制することができ、さらに燃焼排ガスを吸引するのに、二次空気供給配管の途中に設けたエジェクタを用いるようにしたので、例えばドラフトファンなどの空気吸引用機器を別途設けるようにしたものに比べて、コストの点で安価になるとともに、吸引した燃焼排ガス中に粉塵等が混入している場合でも支障は生じない。
【００１３】
また、吸引口から吸引された燃焼排ガスを二次燃焼空間に導く配管を保温構造または断熱構造とすることにより、燃焼排ガス中に含まれたタール分が配管内で凝縮するのを防止することができる。
【発明を実施するための最良の形態】
【００１４】
［実施の形態］
以下、本実施の形態に係る廃棄物の焼却炉を、図１に基づき説明する。
図１に示すように、この焼却炉の炉本体１内には、底部に火格子２が配置された燃焼室３が設けられ、またその前壁部１ａに廃棄物の投入口４が形成されるとともに後壁部１ｂ側に焼却残渣の取出口５が形成されている。
【００１５】
さらに、炉本体１の燃焼室３の上方にはフリーボードである二次燃焼空間６が設けられるとともに、この二次燃焼空間６を形成する上方側壁部１ｃの下方部分の周囲適所には、二次空気供給ノズル７が設けられるとともに、これら各二次空気供給ノズル７には、送風機８に接続された二次空気供給配管９が接続されている。
【００１６】
上記燃焼室３の底部に配置された火格子２は、投入口４側から取出口５側に向って、順番に、廃棄物の乾燥段２ａ、燃焼段２ｂおよび後燃焼段２ｃ用とされている。
そして、この炉本体１の前壁部（乾燥段側側壁部でもある）１ａ近傍の上壁部１ｄおよび後壁部（後燃焼段側側壁部でもある）１ｃ近傍の上壁部１ｄには、燃焼排ガスの吸引口１１が形成されるとともに、上記二次空気供給配管９の途中の適所にはエジェクタ１２が設けられ、さらに上記各吸引口１１とこれに対応するエジェクタ１２とが排ガス吸引管１３を介してそれぞれ接続されている。なお、図１においては、前壁部１ａ側に設けられた吸引口１１Ａおよび後壁部１ｂ側に設けられた吸引口１１Ｂに対応してエジェクタ１２Ａ，１２Ｂを配置したが、勿論、設けられる吸引口１１の位置および個数に応じて、エジェクタ１２が無駄なく配置される。
【００１７】
上記構成において、投入口４から炉本体１内に供給された廃棄物は、まず乾燥段２ａにて乾燥され、次に燃焼段２ｂにて燃焼された後、後燃焼段２ｃに移動して後燃焼が行われ、最後に、その焼却残渣が取出口５から取り出される。
【００１８】
ところで、乾燥段２ａおよび後燃焼段２ｃの箇所でしかも壁面付近における燃焼排ガスの温度は４００〜６００℃の範囲であり、しかも未燃分を含んだ不完全燃焼排ガスで、ダイオキシン類の発生要因となる有機系塩素化合物が含まれている。この低温の燃焼排ガスが、エジェクタ１２により吸引口１１から二次空気供給配管９側に吸引されて、二次燃焼空間６内に勢いよくおよび／または旋回流として吹き込まれる。
【００１９】
ところで、この二次燃焼空間６での燃焼温度は約８００〜１０００℃の高温であり、二次空気に混入された低温の燃焼排ガスの完全燃焼により、有機系塩素化合物の燃焼および分解が十分に行われるため、ダイオキシン類の発生が抑制される。なお、二次燃焼空間６の直ぐ下方の燃焼室３の温度は約１０００℃程度である。
【００２０】
上記の構成によると、乾燥段２ａおよび後燃焼段２ｃの箇所、すなわち壁面寄りの温度の低い燃焼排ガスを吸引するとともに、この吸引した燃焼排ガスを二次燃焼空間６に吹き込むようにしているので、例えば燃焼室３の上方の燃焼排ガスを吸引して完全燃焼させる場合よりも、低温で且つ不完全燃焼の排ガスがより多く含まれた燃焼排ガスを吸引することができ、したがってダイオキシン類の発生をより確実に抑制することができ、さらに燃焼排ガスを吸引するのに、二次空気供給配管９の途中に設けたエジェクタ１２を用いるようにしたので、例えばドラフトファンなどの空気吸引用機器を別途設けるようにしたものに比べて、コストの点で安価になるとともに、吸引した燃焼排ガス中に粉塵等が混入している場合でも支障は生じない。
【００２１】
なお、上記吸引口１１から吸引された燃焼排ガスを二次燃焼空間６まで移送する配管系統（排ガス吸引管およびエジェクタから二次空気供給ノズルまでの二次空気供給配管である）については、保温用ジャケット（保温構造）または断熱部材（断熱構造）が設けられて、配管内温度が少なくとも１００℃以上（好ましくは、４００℃以上）となるように考慮されている。この構成により、燃焼排ガス中に含まれたタール分が配管内で凝縮するのを防止することができる。
【００２２】
また、上記吸引口１１の部分においては、燃焼排ガス中に塵埃、未燃炭素などの浮遊分（粉塵）が含まれているため、その目詰まり対策として、逆洗機能（図示せず）が具備されている。
【００２３】
ところで、上記実施の形態においては、吸引口１１を、前壁部１ａおよび後壁部１ｂ近傍の上壁部１ｄに形成したが、例えば前壁部１ａおよび後壁部１ｂの上部に形成してもよい。
【図面の簡単な説明】
【００２４】
【図１】本発明の実施の形態に係る廃棄物の焼却炉の概略構成を示す断面図である。
【符号の説明】
【００２５】
１      炉本体
１ａ    前壁部
１ｂ    後壁部
１ｄ    上壁部
２      火格子
２ａ    乾燥段
２ｂ    燃焼段
２ｃ    後燃焼段
３      燃焼室
６      二次燃焼空間
７      二次空気供給ノズル
８      送風機
９      二次空気供給配管
１１      吸引口
１２      エジェクタ
１３      排ガス吸引管
【図１】
2005121261.tif 000003